(57)【要約】【課題】少なくともドア錠を施錠して外出する際の警戒モードの設定忘れによる警報手段の不作動を確実に防止することができ、不法侵入の際に警報手段を確実に作動させることができるようにした防犯装置を提供する。【解決手段】ドア錠を施錠してデッドボルトを施錠位置に移動させるだけで警戒モードとなり、デッドボルトが施錠位置から開錠位置へ移動されると、ドアセンサ１からの検出信号に基づいてタイマ回路３がセットされ、このタイマ回路３のタイムアップによってサイレン４および点滅灯５が作動する。その際、タイマ回路３がタイムアップするまでにリセット回路６を操作することで、タイマ回路３がリセットされてサイレン４および点滅灯５の作動が解除され、こうして警戒モードが解除される。【選択図】        図１
2004362321.tif 000002
【特許請求の範囲】
【請求項１】
ドアに付設されたドア錠のデッドボルトの施錠位置から開錠位置への移動を検出するドアセンサと、このドアセンサからの検出信号に基づいてセットされるタイマ回路と、このタイマ回路のタイムアップにより作動する警報手段と、前記タイマ回路をリセットするリセット手段とを備えていることを特徴とする防犯装置。
【請求項２】
前記タイマ回路のセット時からリセット時までの間にリセット要求音を発生する警音手段を備えていることを特徴とする請求項１に記載の防犯装置。
【請求項３】
前記タイマ回路のタイムアップ時または電源のオフ時を検出するスイッチ回路により作動して携帯電話へ警報メールを送信するバッテリ駆動式のメール発信装置が付設されていることを特徴とする請求項１または２に記載の防犯装置。
【請求項４】
前記リセット手段は、前記ドア錠用の鍵の操作によって前記タイマ回路をリセットするように構成されていることを特徴とする請求項１〜３の何れかに記載の防犯装置。
【請求項５】
窓の閉位置から開位置への移動を検出する窓センサを備え、前記タイマ回路は、前記ドアセンサからの検出信号が施錠位置を示しているとき前記窓センサからの検出信号に基づいてセットされるように構成されていることを特徴とする請求項１〜４の何れかに記載の防犯装置。
【発明の詳細な説明】
【０００１】
【発明の属する技術分野】
この発明は、ドア等からの不法侵入に対する防犯対策として警報を発するようにした防犯装置に関するものである。
【０００２】
【従来の技術】
従来、ピッキング等による不法侵入者に対し音と光によって警報を発するようにした防犯用警報装置が知られている（例えば特許文献１参照）。この防犯警報装置は、電源スイッチをオン操作することにより警戒モードに設定され、この警戒モードにおいて不法侵入者が扉を開けると警報ブザーや警報灯などから警報が発せられ、その後、鍵スイッチをオフにしない限り警報が連続するように構成されている。
【０００３】
また、警備会社の防犯システムとして、扉の開閉状態とは無関係に警戒モードの設定と解除とを行うようにした防犯システムも知られている。
【０００４】
【特許文献１】
特開２００２−２６０１１１
【０００５】
【発明が解決しようとする課題】
ところで、特許文献１に記載の従来例においては、扉を施錠して外出する際、予め電源スイッチをオン操作して警戒モードに設定しておく必要があるが、ドア錠とは別操作により設定されるためこの警戒モードの設定忘れが発生し易い。そのために外出時に警報器が不作動となって警報が発せられない事態も往々にして起こり得る。また、扉を施錠せずに開閉して出入りする通常時には、電源スイッチをオフ操作して警戒モードを解除しておく必要があるが、この警戒モードの解除忘れが発生し易いため、通常時に警報器が誤作動して不必要に警報が発せられる事態もたびたび発生する。
【０００６】
そこで、この発明は、少なくともドア錠を施錠して外出する際の警戒モードの設定忘れによる警報手段の不作動を確実に防止することができ、不法侵入の際に警報手段を確実に作動させることができるようにした防犯装置を提供することを課題とする。
【０００７】
【課題を解決するための手段】
前記の目的を達成する手段として、この発明に係る防犯装置は、ドアに付設されたドア錠のデッドボルトの施錠位置から開錠位置への移動を検出するドアセンサと、このドアセンサからの検出信号に基づいてセットされるタイマ回路と、このタイマ回路のタイムアップにより作動する警報手段と、前記タイマ回路をリセットするリセット手段とを備えていることを特徴とする。
【０００８】
この発明に係る防犯装置では、ドア錠を施錠してデッドボルトを施錠位置に移動させるだけで警戒モードとなり、デッドボルトが施錠位置から開錠位置へ移動されると、ドアセンサからの検出信号に基づいてタイマ回路がセットされ、このタイマ回路のタイムアップによって警報手段が作動する。その際、タイマ回路がタイムアップするまでにリセット手段を操作することで、タイマ回路がリセットされて警報手段の作動が解除され、こうして警戒モードが解除される。
【０００９】
この発明の防犯装置において、前記タイマ回路のセット時からリセット時までの間にリセット要求音を発生する警音手段が備えられていると、リセット手段の操作忘れによる警戒モードの解除忘れが確実に防止され、警報手段の誤作動が確実に防止されるので好ましい。
【００１０】
また、前記タイマ回路のタイムアップ時または電源のオフ時を検出するスイッチ回路により作動して携帯電話へ警報メールを発信するバッテリ駆動式のメール発信装置が付設されていると、前記警報手段の作動の際または防犯装置の電源線が切断された際に警報メールが形態電話に送信されるため、不法侵入の発生をいち早く察知して警察や警備会社などへ素早くへ通報できるので好ましい。
【００１１】
さらに、前記リセット手段が前記ドア錠用の鍵の操作によって前記タイマ回路をリセットするように構成されていると、不法侵入者によるタイマ回路のリセット操作が不能となるので好ましい。
【００１２】
また、窓の閉位置から開位置への移動を検出する窓センサを備え、前記ドアセンサからの検出信号が施錠位置を示しているとき前記窓センサからの検出信号に基づいて前記タイマ回路がセットされるように構成されていると、ドア錠を施錠して外出しているときに窓が不法侵入者により開けられた際にも警報手段が作動するので好ましい。
【００１３】
【発明の実施の形態】
以下、図面を参照してこの発明に係る防犯装置の実施の形態を説明する。参照する図面において、図１は一実施形態に係る防犯装置の回路図、図２は一実施形態に係る防犯装置が適用されるドア付近の斜視図、図３は図２に示したドア錠およびトロヨケの概略構造を示す拡大斜視図である。
【００１４】
一実施形態に係る防犯装置は、例えば家屋のドアや窓からの不法侵入に対する防犯対策として警報を発生する装置であり、図１に示すような回路構成を備えている。
【００１５】
この防犯装置は、ドアからの不法侵入を検出するためのドアセンサ１、窓からの不法侵入を検出するための窓センサ２、ドアセンサ１または窓センサ２からの検出信号に基づいてセットされるタイマ回路３、タイマ回路３のタイムアップにより作動する警報手段としてのサイレン４および点滅灯５、タイマ回路３をリセットするリセット手段としてのタイマリセット回路６、タイマ回路３のセット時からリセット時までの間にリセット要求音を発生する警音手段としてのブザー７、タイマ回路３のタイムアップ時または電源のオフ時に携帯電話へ警報メールを送信するメール発信装置８などを備えている。
【００１６】
これらのドアセンサ１、窓センサ２、タイマ回路３、サイレン４、点滅灯５、リセット回路６、ブザー７、メール発信装置８などは、図示しない商用電源のコンセントに接続されるプラグ９から直流安定化電源１０を介して供給される直流により作動するように構成されている。
【００１７】
前記ドアセンサ１は、一端が発振回路１ａに接続され、他端が電流検出回路１ｂに接続された金属検出コイル１ｃを有する磁気センサで構成されている。このドアセンサ１の電流検出回路１ｂは、金属検出コイル１ｃの検出信号をパルス信号に変換するように、例えばシュミットトリガーからなる波形整形回路１１に接続されている。
【００１８】
前記窓センサ２は、図示しない家屋の各窓に設置された一群の窓センサ２ａ…からなる。各窓センサ２ａは、例えば常閉の接点を有するマイクロスイッチで構成されており、窓枠に対する窓の相対位置を検出して窓が全閉位置から開かれると接点が閉じるよう設置されている。各窓センサ２ａ…は、接点の開閉信号をパルス信号に変換するように、それぞれシュミットトリガーからなる波形整形回路１２…に接続されている。
【００１９】
前記タイマ回路３は、ドアセンサ１または各窓センサ２ａ…からの検出信号に基づいてセットされるように、前記波形整形回路１１，１２に対し、論理ゲート回路１３、立上りワンショット回路１４、タイマセット回路１５を介して接続されている。このタイマ回路３は、タイムアップまでの時間を任意に設定するための可変ボリューム３ａを備えている。なお、このタイマ回路３のタイムアップまでの時間は、通常、１０秒程度に設定される。
【００２０】
ここで、論理ゲート回路１３は、ＯＲゲート１３ａ、ＡＮＤゲート１３ｂ、ＮＯＲゲート１３ｃを備えている。ＯＲゲート１３ａは、ドアセンサ１用の波形整形回路１１と立上りワンショット回路１４との間に介設されている。ＡＮＤゲート１３ｂは、波形整形回路１１とＯＲゲート１３ａとの間に介設されている。そして、ＮＯＲゲート１３ｃは、各波形整形回路１２とＡＮＤゲート１３ｂとの間に介設されている。なお、ＡＮＤゲート１３ｂは、波形整形回路１１およびＮＯＲゲート１３ｃからのパルス信号をそれぞれ反転して入力するように構成されている。
【００２１】
立上りワンショット回路１４は、ＯＲゲート１３ａからＨレベルのパルス信号が入力されると、タイマ回路３のセット信号Ｓをタイマセット回路１５に出力するように構成されている。また、タイマセット回路１５は、立上りワンショット回路１４からセット信号Ｓが入力されると、タイマ回路３およびブザー７に作動信号を出力し、タイマリセット回路６からリセット信号Ｒが入力されると、タイマ回路３およびブザー７への出力を停止するように構成されている。
【００２２】
前記サイレン４および点滅灯５は、タイマ回路３からのタイムアップ信号Ｔにより同時に作動するように、それぞれ警報回路１６を介してタイマ回路３に接続されている。
【００２３】
前記タイマリセット回路６は、後述するドア錠の開閉キーによってオン操作されるキースイッチ６ａを有し、キースイッチ６ａがオンされると、タイマ回路３のリセット信号Ｒをタイマセット回路１５に出力するように構成されている。
【００２４】
前記メール発信装置８は、携帯電話へ「不法侵入発生！」などの所定の警報メールを送信するメール送信回路８ａと、このメール送信回路８ａの電源としてのバッテリ８ｂと、メール送信回路８ａを作動させるスイッチとしてのフォトカプラ８ｃなどを備えて構成されている。
【００２５】
フォトカプラ８ｃは、フォトトランジスタＱと、このフォトトランジスタＱをオンさせる発光ダイオードＤを有する。フォトトランジスタＱは、そのオフ信号によりメール送信回路８ａを作動させるようにメール送信回路８ａに接続されている。
【００２６】
一方、発光ダイオードＤは、アノードが直流安定化電源１０に接続され、カソードがタイマ回路３の出力側に接続されており、タイマ回路３からタイムアップ信号Ｔが出力されていない状態では発光してフォトトランジスタＱをオンさせる。そして、この発光ダイオードＤは、タイマ回路３からタイムアップ信号Ｔが出力され、あるいは直流安定化電源１０からの電圧供給が遮断されると、発光を停止してフォトトランジスタＱをオフさせる。
【００２７】
ここで、図２に示すように、前述したドアセンサ１の金属検出コイル１ｃは、ドア２１に付設されたドア錠２２のデッドボルト（図３参照）の施錠位置から開錠位置への移動を検出するように、ドア枠２３側に付設されたドア錠２２のトロヨケ２２ａ内に配置されている。
【００２８】
すなわち、金属検出コイル１ｃは、図３に示すように、デッドボルト２２ｂの先端面に対向するようにトロヨケ２２ａ内の底部に設置されている。なお、図３において、符号２２ｃはドアノブ、２２ｄはサムターン、２２ｅはラッチボルト、２２ｆはストライクをそれぞれ示している。
【００２９】
一方、図１に示した警報手段としてのサイレン４は、図２に示すように、例えばドア２１の近傍の壁面２４に設置される。この場合、サイレン４は、振動板が簡単に外せないように、壁面２４に埋め込んで設置される。また、図１に示した警報手段としての点滅灯５は、例えば玄関灯を兼用してドア２１の外側に配設される（図２では図示省略）。
【００３０】
また、一実施形態の防犯装置の回路部分は、図２に示すように、例えばドア２１の近傍の壁面２４に設置された制御ボックス２５内に収容される。そして、この制御ボックス２５の外面には、タイマリセット回路６のキースイッチ６ａ（図１参照）をオン操作するためのドア錠１２の開閉キー（図示省略）が挿入されるリセット用鍵穴２６と、警音手段としてのブザー７（図１参照）とが設置されている。
【００３１】
以上のように構成された一実施形態に係る防犯装置では、図２に示したドア２１を閉めてドア錠２２を開閉キー（図示省略）により施錠し、ドア錠２２のデッドボルト２２ｂをトロヨケ２２ａ内の施錠位置に進出移動させるだけで警戒モードとなる。
【００３２】
この警戒モードにおいて、不法侵入者によりドア錠２２のデッドボルト２２ｂ（図３参照）がトロヨケ２２ａ内の施錠位置から退避した開錠位置へ移動操作されると、デッドボルト２２ｂの退避移動がドアセンサ１の金属検出コイル１ｃにより検出され、その検出信号が電流検出回路１ｂから波形整形回路１１に入力される。そして、波形整形回路１１からＨレベルのパルス信号が論理ゲート回路１３のＯＲゲート１３ａに出力されることで、ＯＲゲート１３ａからＨレベルのパルス信号が立上りワンショット回路１４に入力される。
【００３３】
そして、立上りワンショット回路１４からタイマ回路３のセット信号Ｓがタイマセット回路１５に出力され、タイマセット回路１５からタイマ回路３およびブザー７に作動信号が出力されることにより、タイマ回路３がセットされてカウントダウンを開始し、制御ボックス２５（図２参照）の外面に配置されたブザー７がリセット要求音を発生する。
【００３４】
その後、１０秒程度のタイムアップ時間が経過すると、タイマ回路３がタイムアップ信号Ｔを警報回路１６に出力する。その結果、ドア２１（図２参照）の近傍の壁面２４に設置されたサイレン４が警報音を発生し、また、ドア２１の外側に配設された玄関灯を兼用する点滅灯５が点滅して警報を発生する。
【００３５】
同時に、タイマ回路３がタイムアップ信号Ｔをメール発信装置８のフォトカプラ８ｃの発光ダイオードＤに出力する。その結果、発光ダイオードＤが発光を停止してフォトトランジスタＱをオフさせ、フォトトランジスタＱのオフ信号によりメール送信回路８ａが作動して携帯電話へ「不法侵入発生！」などの所定の警報メールを送信する。
【００３６】
一方、ドア錠２２が施錠されたままの状態において、不法侵入者により図示しない窓が全閉位置から開かれると、その窓に対応した窓センサ２ａ…の接点が閉じることにより、波形整形回路１２からＨレベルのパルス信号が論理ゲート回路１３のＮＯＲゲート１３ｃに出力される。そして、このＮＯＲゲート１３ｃから出力されるＬレベルのパルス信号と、ドアセンサ１用の波形整形回路１１から出力されるＬレベルのパルス信号とがそれぞれ反転してＡＮＤゲート１３ｂに入力されることで、ＡＮＤゲート１３ｂからＨレベルのパルス信号がＯＲゲート１３ａに出力され、このＯＲゲート１３ａからＨレベルのパルス信号が立上りワンショット回路１４に入力される。
【００３７】
以後、前述したように立上りワンショット回路１４からタイマ回路３のセット信号Ｓがタイマセット回路１５に出力されることにより、タイマ回路３がセットされてカウントダウンを開始し、制御ボックス２５に配置されたブザー７（図２参照）がリセット要求音を発生する。
【００３８】
その後、１０秒程度に設定されたタイマ回路３のタイムアップ時間が経過すると、ドア２１の近傍の壁面２４に設置されたサイレン４（図２参照）が警報音を発生し、ドア２１の外側に配設された玄関灯を兼用する点滅灯５が点滅して警報を発生する。また、同時に、メール発信装置８から携帯電話へ「不法侵入発生！」などの所定の警報メールが送信される。
【００３９】
このように、一実施形態の防犯装置では、図２に示したドア２１を閉めてドア錠２２を施錠するだけで、サイレン４および点滅灯５が作動可能な警戒モードとなるため、外出する際の警戒モードの設定忘れを確実に防止することができ、不法侵入の際に確実にサイレン４および点滅灯５を作動させることができる。
【００４０】
また、不法侵入に伴いタイマ回路３がタイムアップした際、あるいは、不法侵入者により電源が落された際には、メール発信装置８から携帯電話へ「不法侵入発生！」などの所定の警報メールが送信されるため、不法侵入の発生をいち早く察知して警察や警備会社などへ素早くへ通報することができる。
【００４１】
ここで、一実施形態の防犯装置では、図２に示す制御ボックス２５上のブザー７がリセット要求音を発生している間に、制御ボックス２５上のリセット用鍵穴２６にドア錠１２の開閉キー（図示省略）を挿入してタイマリセット回路６のキースイッチ６ａ（図１参照）をオン操作すれば、タイマ回路３がリセットされ、ブザー７のリセット要求音も停止されて警戒モードが解除される。このため、警戒モードの解除忘れを確実に防止してサイレン４および点滅灯５の誤作動を確実に防止することができる。
【００４２】
しかしながら、タイマ回路３のリセットによる警戒モードの解除は、１０秒程度に設定されたタイムアップ時間内において、リセット用鍵穴２６にドア錠１２の開閉キー（図示省略）を挿入して行うように構成されているため、不法侵入者による警戒モードの解除は、実質上不可能であり、防犯装置としての機能を有効に発揮することができる。
【００４３】
一方、一実施形態の防犯装置は、図３に示すようにドアセンサ１の本体である金属検出コイル１ｃがドア錠２２のトロヨケ２２ａ内の底部に設置されていて外観上目立たないため、不法進入者により気付かれることが少なく、電源線や信号線が不法進入者により切断されることも少ない。
【００４４】
そして、このようにドアセンサ１の本体である金属検出コイル１ｃは、ドア錠２２のトロヨケ２２ａ内の底部に設置される構造であるため、一実施形態の防犯装置は、既存のドア錠２２にも簡単に適用することができる。
【００４５】
この発明に係る防犯装置は、前述した一実施形態に限定されるものではない。例えば、ドアセンサ１は、ドア錠２２のデッドボルト２２ｂ自体の動作を検出できるものであれば、金属検出コイル１ｃを用いた磁気センサに限らず、反射式光センサや光電管スイッチ、あるいは機械式リミットスイッチなどで構成されていてもよい。
【００４６】
また、制御ボックス２５は、ドア２１から離れた目立たない位置に設置してもよい。この場合、制御ボックス２５には、タイマリセット回路６のキースイッチ６ａ（図１参照）をオン操作するため押しボタンをリセット用鍵穴２６の代りに設置してもよい。
【００４７】
さらに、警報手段としてのサイレン４は、長時間継続して作動すると近隣の騒音となるので、一定時間の経過後に自動的に停止するように構成されていてもよいが、点滅灯５は不法侵入の事実を警報するため、継続して作動するのが好ましい。
【００４８】
【発明の効果】
以上説明したように、この発明に係る防犯装置では、ドア錠を施錠してデッドボルトを施錠位置に移動させるだけで警戒モードとなり、デッドボルトが施錠位置から開錠位置へ移動されると、ドアセンサからの検出信号に基づいてタイマ回路がセットされ、このタイマ回路のタイムアップによって警報手段が作動する。その際、タイマ回路がタイムアップするまでにリセット手段を操作することで、タイマ回路がリセットされて警報手段の作動が解除され、こうして警戒モードが解除される。
【００４９】
従って、本発明によれば、少なくともドア錠を施錠して外出する際の警戒モードの設定忘れによる警報手段の不作動を確実に防止することができ、不法侵入の際に確実に警報手段を作動させることができる。
【００５０】
この発明の防犯装置において、前記タイマ回路のセット時からリセット時までの間にリセット要求音を発生する警音手段が備えられている場合、リセット手段の操作忘れによる警戒モードの解除忘れを確実に防止して警報手段の誤作動を確実に防止することができる。
【００５１】
この発明の防犯装置において、前記タイマ回路のタイムアップ時または電源のオフ時を検出するスイッチ回路により作動して携帯電話へ警報メールを発信するバッテリ駆動式のメール発信装置が付設されている場合、前記警報手段の作動の際または防犯装置の電源線が切断された際に警報メールが形態電話に送信されるため、不法侵入の発生をいち早く察知して警察や警備会社などへ素早くへ通報することができる。
【００５２】
この発明の防犯装置において、前記リセット手段が前記ドア錠用の鍵の操作によって前記タイマ回路をリセットするように構成されている場合、不法侵入者によるタイマ回路のリセット操作を不能とすることができる。
【００５３】
この発明の防犯装置において、窓の閉位置から開位置への移動を検出する窓センサを備え、前記ドアセンサからの検出信号が施錠位置を示しているとき前記窓センサからの検出信号に基づいての入力によって前記タイマ回路がセットされるように構成されている場合、ドア錠を施錠して外出しているときに窓が不法侵入者により開けられた際にも警報手段を作動させることができる。
【図面の簡単な説明】
【図１】この発明の一実施形態に係る防犯装置の回路図である。
【図２】一実施形態に係る防犯装置が適用されるドア付近の斜視図である。
【図３】図２に示したドア錠およびトロヨケの概略構造を示す拡大斜視図である。
【符号の説明】
１  ：ドアセンサ
２  ：窓センサ
３  ：タイマ回路
４  ：サイレン
５  ：点滅灯
６  ：タイマリセット回路
７  ：ブザー
８  ：メール発信装置
９  ：プラグ
１０  ：直流安定化電源
１１  ：波形整形回路
１２  ：波形整形回路
１３  ：論理ゲート回路
１４  ：立上りワンショット回路
１５  ：タイマセット回路
１６  ：警報回路
２１  ：ドア
２２  ：ドア錠
２２ａ：トロヨケ
２２ｂ：デッドボルト
２３  ：ドア枠
２４  ：壁面
２５  ：制御ボックス
２６  ：リセット用鍵穴
【図１】
2004362321.tif 000003
【図２】
2004362321.tif 000004
【図３】
2004362321.tif 000005